(57)【要約】  パワーコンディショナ（１）は、ＨＤＶＣバス（２Ａ，３Ａ）に接続されたキャパシタ（Ｃ１２）を有し、直流電圧を変圧して、キャパシタ（Ｃ１２）で平滑するＰＶコンバータ（１０）と、ＨＤＶＣバス（２Ａ，３Ａ）に接続されたキャパシタ（Ｃ２２）を有し、ＨＤＶＣバス（２Ａ，３Ａ）から入力される直流電圧をキャパシタ（Ｃ２２）で平滑する双方向ＤＣ−ＤＣコンバータ（２０）と、ＨＤＶＣバス（２Ａ，３Ａ）に接続されたキャパシタ（Ｃ３１）を有し、ＨＤＶＣバス（２Ａ，３Ａ）へ出力する直流電圧をキャパシタ（Ｃ３１）で平滑するＤＣ−ＡＣインバータ（３０）と、ＨＤＶＣバス（２Ａ，３Ａ）に接続され、キャパシタ（Ｃ１２，Ｃ２２，Ｃ３１）に蓄電された電荷を放電するスイッチ素子（Ｓ１）及び抵抗（Ｒ４）からなる放電回路とを備える。これにより、省スペース化を実現するパワーコンディショナを提供する。
2016103818.tif 000002
【特許請求の範囲】
【請求項１】
ＤＣバスと、
前記ＤＣバスに接続された第１平滑コンデンサを有し、入力電圧を変圧して、前記第１平滑コンデンサで平滑する電力変換部と、
前記ＤＣバスに接続された第２平滑コンデンサを有し、前記ＤＣバスから入力される直流電圧を前記第２平滑コンデンサで平滑するＤＣ−ＡＣインバータと、
前記ＤＣバスに接続された第３平滑コンデンサを有し、前記ＤＣバスへ出力する直流電圧を前記第３平滑コンデンサで平滑する双方向ＤＣ−ＤＣコンバータと、
前記ＤＣバスに接続され、前記第１平滑コンデンサ、前記第２平滑コンデンサ及び前記第３平滑コンデンサに蓄電された電荷を放電する放電回路と、
を備えたパワーコンディショナ。
【請求項２】
前記放電回路は、前記ＤＣバスに接続されたスイッチ素子及び抵抗の直列回路である、
請求項１に記載のパワーコンディショナ。
【請求項３】
前記電力変換部、前記ＤＣ−ＡＣインバータ及び前記双方向ＤＣ−ＤＣコンバータを収納するラックを備える、請求項１又は２に記載のパワーコンディショナ。
【発明の詳細な説明】
【技術分野】
【０００１】
本発明は、発電機により発電された直流電力を交流電力に変換するパワーコンディショナに関する。
【背景技術】
【０００２】
発電機、例えばソーラーパネル、で発電された電力を家庭環境で使用する太陽光発電システムでは、パワーコンディショナにより電力制御される。パワーコンディショナは、一般に、発電機で発電された直流電力の電圧を一定の出力値に変換するＰＶコンバータ、及び、直流電力を交流電力に変換するＤＣ−ＡＣインバータ等を備えている。これらＰＶコンバータ及びインバータは平滑用コンデンサを有している。この平滑用コンデンサには、残存する電荷を放電するための放電回路が接続されている（例えば、特許文献１参照）。
【先行技術文献】
【特許文献】
【０００３】
【特許文献１】特開２０１３−２５１９９１号公報
【発明の概要】
【発明が解決しようとする課題】
【０００４】
パワーコンディショナは、少なくともＰＶコンバータ及びＤＣ−ＡＣインバータを備えるため、特許文献１に記載されているように、各平滑コンデンサに放電回路を接続した場合、パワーコンディショナが大型化するといった問題がある。【０００５】
そこで、本発明の目的は、省スペース化を実現するパワーコンディショナを提供することにある。
【課題を解決するための手段】
【０００６】
本発明に係るパワーコンディショナは、ＤＣバスと、前記ＤＣバスに接続された第１平滑コンデンサを有し、入力電圧を変圧して、前記第１平滑コンデンサで平滑する電力変換部と、前記ＤＣバスに接続された第２平滑コンデンサを有し、前記ＤＣバスから入力される直流電圧を前記第２平滑コンデンサで平滑するＤＣ−ＡＣインバータと、前記ＤＣバスに接続された第３平滑コンデンサを有し、前記ＤＣバスへ出力する直流電圧を前記第３平滑コンデンサで平滑する双方向ＤＣ−ＤＣコンバータと、前記ＤＣバスに接続され、前記第１平滑コンデンサ、前記第２平滑コンデンサ及び前記第３平滑コンデンサに蓄電された電荷を放電する放電回路とを備えたことを特徴とする。【０００７】
この構成では、ＰＶコンバータ、ＤＣ−ＡＣインバータ及び双方向ＤＣ−ＤＣコンバータそれぞれの平滑コンデンサに蓄電された電荷を、共通の放電回路により放電することができる。このため、ＰＶコンバータ、ＤＣ−ＡＣインバータ及び双方向ＤＣ−ＤＣコンバータそれぞれに放電回路を設ける必要がなく、パワーコンディショナの省スペース化が実現できる。【０００８】
本発明に係るパワーコンディショナでは、前記放電回路は、前記ＤＣバスに接続されたスイッチ素子及び抵抗の直列回路であることが好ましい。【０００９】
この構成では、放電回路を簡易な構成にできる。【００１０】
本発明に係るパワーコンディショナは、前記電力変換部、前記ＤＣ−ＡＣインバータ及び前記双方向ＤＣ−ＤＣコンバータを収納するラックを備えることが好ましい。【００１１】
この構成では、電力変換部、ＤＣ−ＡＣインバータ及び双方向ＤＣ−ＤＣコンバータを一体化できる。
【発明の効果】
【００１２】
本発明によれば、ＰＶコンバータ、ＤＣ−ＡＣインバータ及び双方向ＤＣ−ＤＣコンバータそれぞれに放電回路を設ける必要がなく、パワーコンディショナの省スペース化が実現できる。
【図面の簡単な説明】
【００１３】
【図１】実施形態に係るパワーコンディショナの回路図
【図２】パワーコンディショナの正面側外観斜視図
【図３】パワーコンディショナの背面側外観斜視図
【発明を実施するための形態】
【００１４】
図１は、本実施形態に係るパワーコンディショナ１の回路図である。
【００１５】
パワーコンディショナ１には、発電機、蓄電池及び分電盤（何れも不図示）等が接続される。発電機は、例えば、太陽光発電機、風力発電機又はガス発電機等である。以下では、発電機は太陽光発電機として説明する。パワーコンディショナ１は、発電機で発電された電圧、又は蓄電池に充電されている電圧を家庭用電圧に変換し、分電盤に出力する。また、パワーコンディショナ１は、発電機で発電された電圧を蓄電池に充電する。
【００１６】
パワーコンディショナ１は、ＰＶコンバータ１０、双方向ＤＣ−ＤＣコンバータ２０及びＤＣ−ＡＣインバータ３０を備えている。後に詳述するが、ＰＶコンバータ１０、双方向ＤＣ−ＤＣコンバータ２０及びＤＣ−ＡＣインバータ３０は、一つのラックに収納され、ＨＶＤＣ（High Voltage Direct Current）バスにより接続されている。
【００１７】
ＰＶコンバータ１０の入力端子Ｉ１１，Ｉ１２は太陽光発電機に接続される。ＰＶコンバータ１０は、太陽光発電機で生成された電荷を直流電圧に変換し、その直流電圧を所定の定電圧に変換する。ＰＶコンバータ１０は、電荷を直流電圧に変換する変換回路を有しているが、図１では、その変換回路の図示を省略し、変換回路により変換された直流電圧を所定の定電圧に変換するコンバータ回路のみを示している。この図１に示すＰＶコンバータ１０のコンバータ回路が、本発明に係る「電力変換部」に相当する。
【００１８】
ＰＶコンバータ１０は、キャパシタＣ１１，Ｃ１２、スイッチ素子Ｑ１１，Ｑ１２、インダクタＬ１１から形成されている。スイッチ素子Ｑ１１，Ｑ１２は、ドライバ１１によりスイッチング制御される。ＰＶコンバータ１０、スイッチ素子Ｑ１１，Ｑ１２をスイッチング制御することで、直流電圧を昇圧する。キャパシタＣ１２は、出力端子Ｏ１１，Ｏ１２に接続されていて、出力される直流電圧を平滑する平滑コンデンサである。このキャパシタＣ１２は、本発明に係る「第１平滑コンデンサ」に相当する。なお、ＰＶコンバータ１０は、直流電圧を降圧するもの、又は絶縁型による昇降圧を行うものであってもよい。
【００１９】
ＰＶコンバータ１０の出力端子Ｏ１１は、ＨＶＤＣバス２Ａを介して、ＤＣ−ＡＣインバータ３０の入力端子Ｉ２１に接続されている。また、ＰＶコンバータ１０の出力端子Ｏ１２は、ＨＶＤＣバス３Ａを介して、ＤＣ−ＡＣインバータ３０の入力端子Ｉ２２に接続されている。ＨＶＤＣバス２Ａは高電位側、ＨＶＤＣバス３Ａは低電位（グランド）側の配線である。また、太陽光発電ではなく、風力発電の場合は、ＰＶコンバータ１０の代わりに、ＡＣ−ＤＣコンバータを設ければ、同様の構成が実現できる。
【００２０】
双方向ＤＣ−ＤＣコンバータ２０は、入出力端子ＩＯ１１，ＩＯ１２と、入出力端子ＩＯ２１，ＩＯ２２とを備えている。入出力端子ＩＯ１１，ＩＯ１２には、蓄電池が接続される。入出力端子ＩＯ２１，ＩＯ２２は、ＨＶＤＣバス２Ｂ，３Ｂを介して、ＨＶＤＣバス２Ａ，３Ａに接続されている。すなわち、入出力端子ＩＯ２１，ＩＯ２２は、ＰＶコンバータ１０の出力端子Ｏ１１，Ｏ１２及びＤＣ−ＡＣインバータ３０の入力端子Ｉ２１，Ｉ２２に接続している。そして、双方向ＤＣ−ＤＣコンバータ２０は、ＰＶコンバータ１０から出力された直流電圧を変圧（昇圧又は降圧）し、蓄電池に充電する。また、双方向ＤＣ−ＤＣコンバータ２０は、蓄電池に充電された直流電圧を変圧し、ＤＣ−ＡＣインバータ３０へ出力する。
【００２１】
入出力端子ＩＯ１１，ＩＯ１２には、キャパシタＣ２１、及び、スイッチ素子Ｑ２１，Ｑ２２，Ｑ２３，Ｑ２４からなるブリッジ回路が接続されている。ブリッジ回路の中点には、キャパシタＣ２２、インダクタＬ２１、及びトランスＴ１が接続されている。スイッチ素子Ｑ２１，Ｑ２２，Ｑ２３，Ｑ２４は、ドライバ２１によりスイッチング制御される。
【００２２】
入出力端子ＩＯ２１，ＩＯ２２には、キャパシタＣ２３、及び、スイッチ素子Ｑ２５，Ｑ２６，Ｑ２７，Ｑ２８からなるブリッジ回路が接続されている。ブリッジ回路の中点にはトランスＴ１が接続されている。スイッチ素子Ｑ２５，Ｑ２６，Ｑ２７，Ｑ２８は、ドライバ２２によりスイッチング制御される。入出力端子ＩＯ２１，ＩＯ２２から出力される直流電圧を平滑する平滑コンデンサである。このキャパシタＣ２３は、本発明に係る「第２平滑コンデンサ」に相当する。
【００２３】
双方向ＤＣ−ＤＣコンバータ２０は、スイッチ素子Ｑ２１〜Ｑ２８をスイッチング制御することで、入出力端子ＩＯ１１，ＩＯ１２又は入出力端子ＩＯ２１，ＩＯ２２の一方から入力された直流電圧を変圧して他方から出力する。
【００２４】
ＤＣ−ＡＣインバータ３０は、入力端子Ｉ２１，Ｉ２２と、出力端子Ｏ２１，Ｏ２２，Ｏ２３とを備えている。入力端子Ｉ２１，Ｉ２２にはＨＤＶＣバス２Ａ，２Ｂ，３Ａ，３Ｂが接続され、ＰＶコンバータ１０又は双方向ＤＣ−ＤＣコンバータ２０から出力された直流電圧が入力される。出力端子Ｏ２１，Ｏ２２には電圧線が接続され、出力端子Ｏ２３には中性線が接続され、これらを介して、出力端子Ｏ２１，Ｏ２２，Ｏ２３は、不図示の分電盤に接続される。そして、ＤＣ−ＡＣインバータ３０は、入力された直流電圧を交流電圧に変換して出力する。
【００２５】
ＤＣ−ＡＣインバータ３０は、キャパシタＣ３１、スイッチ素子Ｑ３１，Ｑ３２，Ｑ３３，Ｑ３４からなるブリッジ回路、リアクトルＴ２、及びキャパシタＣ３２，Ｃ３３から形成されている。スイッチ素子Ｑ３１，Ｑ３２，Ｑ３３，Ｑ３４は、ドライバ３１によりスイッチング制御される。ＤＣ−ＡＣインバータ３０は、スイッチ素子Ｑ３１，Ｑ３２，Ｑ３３，Ｑ３４をスイッチング制御することで、入力端子Ｉ２１，Ｉ２２から入力された直流電圧を交流電圧に変換し、出力端子Ｏ２１，Ｏ２２，Ｏ２３から出力する。キャパシタＣ３１は、入力端子Ｉ２１，Ｉ２２に接続されていて、入力された直流電圧を平滑する平滑コンデンサである。このキャパシタＣ３１は、本発明に係る「第３平滑コンデンサ」に相当する。
【００２６】
ＨＶＤＣバス２Ａ，３Ａ間には、スイッチ素子Ｓ１と抵抗Ｒ４とが直列接続された放電回路が設けられている。この放電回路は、ＰＶコンバータ１０のキャパシタＣ１２、双方向ＤＣ−ＤＣコンバータ２０のキャパシタＣ２２、ＤＣ−ＡＣインバータ３０のキャパシタＣ３１に蓄電された電荷を放電する。キャパシタＣ１２，Ｃ２２，Ｃ３１は、何れもＨＶＤＣバス２Ａ，３Ａに接続されている。したがって、ＨＶＤＣバス２Ａ，３Ａ間に設けた一つの放電回路により、ＨＶＤＣバス２Ａ，３Ａに接続されているキャパシタＣ１２，Ｃ２２，Ｃ３１に蓄電された電荷を放電することができる。一つの放電回路で、キャパシタＣ１２，Ｃ２２，Ｃ３１に蓄電された電荷を放電することができるため、ＰＶコンバータ１０、双方向ＤＣ−ＤＣコンバータ２０及びＤＣ−ＡＣインバータ３０それぞれに放電回路を設ける必要がなく、省スペース化が実現できる。
【００２７】
さらに、太陽光発電機が増設されたときに、ＰＶコンバータ１０がされた場合、又は、双方向ＤＣ−ＤＣコンバータ２０と蓄電池とが増設された場合であっても、放電回路を共用化することは可能である。
【００２８】
なお、スイッチ素子Ｓ１及び抵抗Ｒ４からなる放電回路を設ける位置は、図１に示す位置に限定されず、ＨＤＶＣバス２Ａ，２Ｂと、ＨＤＶＣバス３Ａ，３Ｂとの間に設けられていればよい。例えば、放電回路は、ＰＶコンバータ１０の内部に設けられていてもよいし、双方向ＤＣ−ＤＣコンバータ２０又はＤＣ−ＡＣインバータ３０の内部に設けられていてもよい。また、ＨＤＶＣバス２Ａ，３Ｂ間、又は、ＨＤＶＣバス２Ｂ，３Ａ間に設けられていてもよい。また、放電回路は、一方がＨＤＶＣバス２Ａ，２Ｂに接続され、他方がグランドに直接接続されていてもよい。
【００２９】
図２は、パワーコンディショナ１の正面側外観斜視図である。図３は、パワーコンディショナの背面側外観斜視図である。
【００３０】
本実施形態に係るパワーコンディショナ１は、ラック１００を備えている。そのラック１００には、ＰＶコンバータ１０、双方向ＤＣ−ＤＣコンバータ２０、ＤＣ−ＡＣインバータ３０、蓄電池４０及びコントローラ５０が収納されている。蓄電池４０は双方向ＤＣ−ＤＣコンバータ２０に接続されている。コントローラ５０は、ＰＶコンバータ１０のドライバ１１、双方向ＤＣ−ＤＣコンバータ２０のドライバ２１、ＤＣ−ＡＣインバータ３０のドライバ３１を駆動制御し、また、スイッチ素子Ｓ１をスイッチング制御する。
【００３１】
ＰＶコンバータ１０、双方向ＤＣ−ＤＣコンバータ２０及びＤＣ−ＡＣインバータ３０は、背面側でＨＤＶＣバスにより接続されている。そして、ＨＤＶＣバスには、図１で説明した放電回路が接続されている。この放電回路は、ＨＤＶＣバスの途中に接続されていてもよいし、ＰＶコンバータ１０、双方向ＤＣ−ＤＣコンバータ２０、及びＤＣ−ＡＣインバータ３０の何れかの内部に形成されていてもよい。
【００３２】
一つの放電回路で、ＰＶコンバータ１０、双方向ＤＣ−ＤＣコンバータ２０、及びＤＣ−ＡＣインバータ３０が有するキャパシタＣ１２，Ｃ２２，Ｃ３１に蓄電された電荷を放電するため、放電回路の数を減らすことができる。また、ＰＶコンバータ１０、双方向ＤＣ−ＤＣコンバータ２０、及びＤＣ−ＡＣインバータ３０それぞれが大型化することを抑制できる。その結果、パワーコンディショナ１が大型化することを抑制できる。
【００３３】
また、放電回路をＰＶコンバータ１０、双方向ＤＣ−ＤＣコンバータ２０、及びＤＣ−ＡＣインバータ３０それぞれに設けず、ＨＤＶＣバスの配線途中に設けた場合、放電回路に不具合が生じたときでも、修理、交換等が容易に行える。
【００３４】
なお、この例では、パワーコンディショナ１は蓄電池４０を備えているが、蓄電池４０を備えなくてもよい。
【符号の説明】
【００３５】
Ｃ１１，Ｃ２１，Ｃ２２，Ｃ３２，Ｃ３３…キャパシタ
Ｃ１２…キャパシタ（第１平滑コンデンサ）
Ｃ２３…キャパシタ（第２平滑コンデンサ）
Ｃ３１…キャパシタ（第３平滑コンデンサ）
Ｉ１１，Ｉ１２…入力端子
Ｉ２１，Ｉ２２…入力端子
ＩＯ１１，ＩＯ１２，ＩＯ２１，ＩＯ２２…入出力端子
Ｌ１１，Ｌ２１…インダクタ
Ｏ１１，Ｏ１２，Ｏ２１，Ｏ２２，Ｏ２３…出力端子
Ｑ１１，Ｑ１２…スイッチ素子
Ｑ２１，Ｑ２２，Ｑ２３，Ｑ２４，Ｑ２５，Ｑ２６，Ｑ２７，Ｑ２８…スイッチ素子
Ｑ３１，Ｑ３２，Ｑ３３，Ｑ３４…スイッチ素子
Ｒ４…抵抗（放電回路）
Ｓ１…スイッチ素子（放電回路）
Ｔ１…トランス
Ｔ２…リアクトル
１…パワーコンディショナ
２Ａ，２Ｂ，３Ａ，３Ｂ…ＨＤＶＣバス
１０…ＰＶコンバータ
１１…ドライバ
２０…ＤＣ−ＤＣコンバータ
２１…ドライバ
３０…ＤＣ−ＡＣインバータ
３１…ドライバ
４０…蓄電池
５０…コントローラ
１００…ラック
【図１】
2016103818.tif 000003
【図２】
2016103818.tif 000004
【図３】
2016103818.tif 000005
【手続補正書】
【提出日】平成29年5月16日(2017.5.16)
【手続補正１】
【補正対象書類名】明細書
【補正対象項目名】０００６
【補正方法】変更
【補正の内容】
【０００６】
本発明に係るパワーコンディショナは、ＤＣバスと、前記ＤＣバスに接続された第１平滑コンデンサを有し、入力電圧を変圧して、前記第１平滑コンデンサで平滑する電力変換部と、前記ＤＣバスに接続された第２平滑コンデンサを有し、前記ＤＣバスから入力される直流電圧を前記第２平滑コンデンサで平滑するＤＣ−ＡＣインバータと、前記ＤＣバスに接続された第３平滑コンデンサを有し、前記ＤＣバスへ出力する直流電圧を前記第３平滑コンデンサで平滑する双方向ＤＣ−ＤＣコンバータと、前記ＤＣバスに接続され、前記第１平滑コンデンサ、前記第２平滑コンデンサ及び前記第３平滑コンデンサに蓄電された電荷を放電する単一の放電回路とを備えたことを特徴とする。
【手続補正２】
【補正対象書類名】明細書
【補正対象項目名】００２４
【補正方法】変更
【補正の内容】
【００２４】
ＤＣ−ＡＣインバータ３０は、入力端子Ｉ２１，Ｉ２２と、出力端子Ｏ２１，Ｏ２２，Ｏ２３とを備えている。入力端子Ｉ２１，Ｉ２２にはＨＶＤＣバス２Ａ，２Ｂ，３Ａ，３Ｂが接続され、ＰＶコンバータ１０又は双方向ＤＣ−ＤＣコンバータ２０から出力された直流電圧が入力される。出力端子Ｏ２１，Ｏ２２には電圧線が接続され、出力端子Ｏ２３には中性線が接続され、これらを介して、出力端子Ｏ２１，Ｏ２２，Ｏ２３は、不図示の分電盤に接続される。そして、ＤＣ−ＡＣインバータ３０は、入力された直流電圧を交流電圧に変換して出力する。
【手続補正３】
【補正対象書類名】明細書
【補正対象項目名】００２８
【補正方法】変更
【補正の内容】
【００２８】
なお、スイッチ素子Ｓ１及び抵抗Ｒ４からなる放電回路を設ける位置は、図１に示す位置に限定されず、ＨＶＤＣバス２Ａ，２Ｂと、ＨＶＤＣバス３Ａ，３Ｂとの間に設けられていればよい。例えば、放電回路は、ＰＶコンバータ１０の内部に設けられていてもよいし、双方向ＤＣ−ＤＣコンバータ２０又はＤＣ−ＡＣインバータ３０の内部に設けられていてもよい。また、ＨＶＤＣバス２Ａ，３Ｂ間、又は、ＨＶＤＣバス２Ｂ，３Ａ間に設けられていてもよい。また、放電回路は、一方がＨＶＤＣバス２Ａ，２Ｂに接続され、他方がグランドに直接接続されていてもよい。
【手続補正４】
【補正対象書類名】明細書
【補正対象項目名】００３１
【補正方法】変更
【補正の内容】
【００３１】
ＰＶコンバータ１０、双方向ＤＣ−ＤＣコンバータ２０及びＤＣ−ＡＣインバータ３０は、背面側でＨＶＤＣバスにより接続されている。そして、ＨＶＤＣバスには、図１で説明した放電回路が接続されている。この放電回路は、ＨＶＤＣバスの途中に接続されていてもよいし、ＰＶコンバータ１０、双方向ＤＣ−ＤＣコンバータ２０、及びＤＣ−ＡＣインバータ３０の何れかの内部に形成されていてもよい。
【手続補正５】
【補正対象書類名】明細書
【補正対象項目名】００３３
【補正方法】変更
【補正の内容】
【００３３】
また、放電回路をＰＶコンバータ１０、双方向ＤＣ−ＤＣコンバータ２０、及びＤＣ−ＡＣインバータ３０それぞれに設けず、ＨＶＤＣバスの配線途中に設けた場合、放電回路に不具合が生じたときでも、修理、交換等が容易に行える。
【手続補正６】
【補正対象書類名】明細書
【補正対象項目名】００３５
【補正方法】変更
【補正の内容】
【００３５】
Ｃ１１，Ｃ２１，Ｃ２２，Ｃ３２，Ｃ３３…キャパシタ
Ｃ１２…キャパシタ（第１平滑コンデンサ）
Ｃ２３…キャパシタ（第２平滑コンデンサ）
Ｃ３１…キャパシタ（第３平滑コンデンサ）
Ｉ１１，Ｉ１２…入力端子
Ｉ２１，Ｉ２２…入力端子
ＩＯ１１，ＩＯ１２，ＩＯ２１，ＩＯ２２…入出力端子
Ｌ１１，Ｌ２１…インダクタ
Ｏ１１，Ｏ１２，Ｏ２１，Ｏ２２，Ｏ２３…出力端子
Ｑ１１，Ｑ１２…スイッチ素子
Ｑ２１，Ｑ２２，Ｑ２３，Ｑ２４，Ｑ２５，Ｑ２６，Ｑ２７，Ｑ２８…スイッチ素子
Ｑ３１，Ｑ３２，Ｑ３３，Ｑ３４…スイッチ素子
Ｒ４…抵抗（放電回路）
Ｓ１…スイッチ素子（放電回路）
Ｔ１…トランス
Ｔ２…リアクトル
１…パワーコンディショナ
２Ａ，２Ｂ，３Ａ，３Ｂ…ＨＶＤＣバス
１０…ＰＶコンバータ
１１…ドライバ
２０…ＤＣ−ＤＣコンバータ
２１…ドライバ
３０…ＤＣ−ＡＣインバータ
３１…ドライバ
４０…蓄電池
５０…コントローラ
１００…ラック
【手続補正７】
【補正対象書類名】特許請求の範囲
【補正対象項目名】全文
【補正方法】変更
【補正の内容】
【特許請求の範囲】
【請求項１】
ＤＣバスと、
前記ＤＣバスに接続された第１平滑コンデンサを有し、入力電圧を変圧して、前記第１平滑コンデンサで平滑する電力変換部と、
前記ＤＣバスに接続された第２平滑コンデンサを有し、前記ＤＣバスから入力される直流電圧を前記第２平滑コンデンサで平滑するＤＣ−ＡＣインバータと、
前記ＤＣバスに接続された第３平滑コンデンサを有し、前記ＤＣバスへ出力する直流電圧を前記第３平滑コンデンサで平滑する双方向ＤＣ−ＤＣコンバータと、
前記ＤＣバスに接続され、前記第１平滑コンデンサ、前記第２平滑コンデンサ及び前記第３平滑コンデンサに蓄電された電荷を放電する単一の放電回路と、
を備えたパワーコンディショナ。
【請求項２】
前記放電回路は、前記ＤＣバスに接続されたスイッチ素子及び抵抗の直列回路である、
請求項１に記載のパワーコンディショナ。
【請求項３】
前記電力変換部、前記ＤＣ−ＡＣインバータ及び前記双方向ＤＣ−ＤＣコンバータを収納するラックを備える、請求項１又は２に記載のパワーコンディショナ。
【国際調査報告】
2016103818.tif 000006
2016103818.tif 000007
2016103818.tif 000008
2016103818.tif 000009